(57)【要約】【課題】測定ログの有効性を報告する装置及び方法を提供する。【解決手段】ワイヤレスモジュールとコントローラーモジュールを含む通信装置が提供される。ワイヤレスモジュールは、少なくとも第一と第二コンポーネントキャリアにより、サービスネットワーク間で、無線周波数信号の送受信を実行する。コントローラーモジュールは、サービスネットワークから、第一コンポーネントキャリアに対応する第一測定配置を受信し、ワイヤレスモジュールにより、サービスネットワークから、第一コンポーネントキャリアが第三コンポーネントキャリアにより代替されることを示すメッセージを受信し、ワイヤレスモジュールにより、サービスネットワークから、第三コンポーネントキャリアに対応する第二測定配置を受信し、メッセージの受信に対応して、第一、及び、第二測定配置の少なくとも一つを保持し、保持された測定配置に従って、測定を実行する。【選択図】図１
2011217378.tif 000002
【特許請求の範囲】
【請求項１】
通信装置であって、
少なくとも一つの第一、及び、第二コンポーネントキャリアにより、サービスネットワーク間で、無線周波数信号を送受信し、前記第一、及び、第二コンポーネントキャリアは、前記サービスネットワークにより配置され、前記サービスネットワーク間で、前記無線周波数信号を送受信するのに用いられるコンポーネントキャリアの集合に集約されるワイヤレスモジュールと、
前記サービスネットワークから、前記第一コンポーネントキャリアに対応する第一測定配置を受信し、前記ワイヤレスモジュールにより、前記第一コンポーネントキャリアが、前記サービスネットワークから、第三コンポーネントキャリアに代替されることを示すメッセージを受信し、前記ワイヤレスモジュールにより、前記サービスネットワークから、前記第三コンポーネントキャリアに対応する第二測定配置を受信し、前記メッセージの受信に応じて、前記第一、及び、第二測定配置の少なくとも一つを保持し、前記の保持された測定配置に従って、測定を実行するコントローラーモジュールと、
を含むことを特徴とする通信装置。
【請求項２】
前記第一コンポーネントキャリアに対応する前記第一測定配置が保持される時、前記コントローラーモジュールは、前記第三コンポーネントキャリアに対応する前記第二測定配置内の測定対象関連情報要素により、前記第一コンポーネントキャリアに対応する前記第一測定配置内の測定対象関連情報要素を代替することを特徴とする請求項１に記載の通信装置。
【請求項３】
前記第三コンポーネントキャリアに対応する前記第二測定配置が保持される時、前記コントローラーモジュールは、前記第一コンポーネントキャリアに対応する前記第一測定配置内の測定対象関連情報要素により、前記第三コンポーネントキャリアに対応する前記第二測定配置内の測定対象関連情報要素を代替することを特徴とする請求項１に記載の通信装置。
【請求項４】
前記第一コンポーネントキャリアがコンポーネントキャリアの前記集合中のプライマリーコンポーネントキャリア（ＰＣＣ）である時、前記ＰＣＣは前記第三コンポーネントキャリアに変化することを特徴とする請求項１に記載の通信装置。
【請求項５】
前記コントローラーモジュールは、更に、前記サービスネットワークから、前記第二コンポーネントキャリアに対応する第三測定配置を受信し、前記メッセージが、更に、前記第二コンポーネントキャリアが前記第三コンポーネントキャリアにより代替されることを示す時、前記メッセージの受信に応じて、前記コントローラーモジュールは、前記第一、第二、及び、第三測定配置の少なくとも一つを保持し、前記の保持された測定配置に従って、測定を実行することを特徴とする請求項１に記載の通信装置。
【請求項６】
前記第三コンポーネントキャリアに対応する前記第二測定配置が保持される時、前記コントローラーモジュールは、前記第一コンポーネントキャリアに対応する前記第一測定配置の測定対象関連情報要素により、又は、前記第二コンポーネントキャリアに対応する前記第三測定配置内の測定対象関連情報要素により、前記第二測定配置の測定対象関連情報要素を代替することを特徴とする請求項５に記載の通信装置。
【請求項７】
前記第三コンポーネントキャリアに対応する前記第二測定配置が保持され、且つ、前記第一コンポーネントキャリアがコンポーネントキャリアの前記集合中のプライマリーコンポーネントキャリア（ＰＣＣ）である時、前記コントローラーモジュールは、前記第一コンポーネントキャリアに対応する前記第一測定配置の測定対象関連情報要素により、前記第二測定配置の測定対象関連情報要素を代替することを特徴とする請求項５に記載の通信装置。
【請求項８】
前記第三コンポーネントキャリアに対応する前記第二測定配置が保持される時、前記コントローラーモジュールは、更に、前記第三コンポーネントキャリアに対応する前記第二測定配置から複製される新しい測定配置を形成、及び、維持し、前記第一コンポーネントキャリアに対応する前記第一測定配置の測定対象関連情報要素により、前記新しい測定配置の測定対象関連情報要素を代替し、前記第二コンポーネントキャリアに対応する前記第三測定配置の測定対象関連情報要素により、前記第二測定配置の測定対象関連情報要素を代替することを特徴とする請求項５に記載の通信装置。
【請求項９】
サービスネットワークに、ワイヤレスコミュニケーションサービスを提供する通信装置であって、
少なくとも一つの第一、及び、第二コンポーネントキャリアにより、ピア装置間で、無線周波数信号を送受信し、前記第一、及び、第二コンポーネントキャリアは、前記ピア装置間で、前記無線周波数信号を送受信するのに用いられるコンポーネントキャリアの集合中で集約されるワイヤレスモジュールと、
前記ワイヤレスモジュールにより、前記第一コンポーネントキャリアに対応する第一測定配置を前記ピア装置に伝送し、前記第一コンポーネントキャリアが、第三コンポーネントキャリアにより代替されることを示すメッセージを前記ピア装置に伝送し、前記第三コンポーネントキャリアに対応する第二測定配置を前記ピア装置に伝送し、前記第三コンポーネントキャリアにより代替される前記第一コンポーネントキャリアに応じて、前記第一、及び、第二測定配置の少なくとも一つを保持するコントローラーモジュールと、
を含むことを特徴とする通信装置。
【請求項１０】
前記第一コンポーネントキャリアに対応する前記第一測定配置が保持される時、前記コントローラーモジュールは、前記第三コンポーネントキャリアに対応する前記第二測定配置の測定対象関連情報要素により、前記第一コンポーネントキャリアに対応する前記第一測定配置の測定対象関連情報要素を代替することを特徴とする請求項９に記載の通信装置。
【請求項１１】
前記第三コンポーネントキャリアに対応する前記第二測定配置が保持される時、前記コントローラーモジュールは、前記第一コンポーネントキャリアに対応する前記第一測定配置の測定対象関連情報要素により、前記第三コンポーネントキャリアに対応する前記第二測定配置の測定対象関連情報要素を代替することを特徴とする請求項９に記載の通信装置。
【請求項１２】
通信装置に用いられる測定制御方法であって、前記通信装置は、コンポーネントキャリアの集合に集約される少なくとも一つの第一、及び、第二コンポーネントキャリアにより、サービスネットワークと通信し、
前記サービスネットワークから、前記第一コンポーネントキャリアに対応する第一測定配置を受信するステップと、
前記サービスネットワークから、第三コンポーネントキャリアに対応する第二測定配置を受信するステップと、
前記第三コンポーネントキャリアにより、コンポーネントキャリアの前記集合中の前記第一コンポーネントキャリアを代替するステップと、
それぞれ、前記第一、及び、前記第三コンポーネントキャリアに対応する前記第一、及び、第二測定配置の少なくとも一つを保持するステップと、
を含むことを特徴とする方法。
【請求項１３】
更に、前記第一コンポーネントキャリアに対応する前記第一測定配置が保持される時、前記第三コンポーネントキャリアに対応する前記第二測定配置の測定対象関連情報要素により、前記第一コンポーネントキャリアに対応する前記第一測定配置の測定対象関連情報要素を代替するステップを含むことを特徴とする請求項１２に記載の方法。
【請求項１４】
更に、前記第三コンポーネントキャリアに対応する前記第二測定配置が保持される時、前記第一コンポーネントキャリアに対応する前記第一測定配置の測定対象関連情報要素により、前記第三コンポーネントキャリアに対応する前記第二測定配置の測定対象関連情報要素を代替するステップを含むことを特徴とする請求項１２に記載の方法。
【請求項１５】
通信装置であって、
少なくとも一つの第一、及び、第二コンポーネントキャリアにより、サービスネットワーク間で、無線周波数信号を送受信し、前記第一、及び、第二コンポーネントキャリアは、前記サービスネットワークにより配置され、コンポーネントキャリアの集合に集約され、前記第一コンポーネントキャリアがコンポーネントキャリアの前記集合中のプライマリーコンポーネントキャリア（ＰＣＣ）であるワイヤレスモジュールと、
前記サービスネットワークから、それぞれ、前記第一、及び、第二コンポーネントキャリアに対応する第一測定配置と第二測定配置を受信し、前記ＰＣＣが前記サービスネットワークから、前記第二コンポーネントキャリアに変化したことを示すメッセージを受信し、前記メッセージの受信に応じて、前記第一測定配置の測定対象関連情報要素と前記第二測定配置の測定対象関連情報要素を交換するコントローラーモジュールと、
を含むことを特徴とする通信装置。
【発明の詳細な説明】
【技術分野】
【０００１】
本発明は、ワイヤレスコミュニケーションシステム中の測定制御の装置及び方法に関するものであって、特に、ワイヤレスコミュニケーションシステム中のコンポーネントキャリアの測定配置を管理する装置及び方法に関するものである。
【背景技術】
【０００２】
移動通信技術の近年の発展により、各種通信サービス、例えば、音声電話サービス、データ転送サービス、及び、ビデオ電話サービス等が、ユーザーの位置に関係なく、ユーザーに提供される。多くの移動通信システムは多重アクセスシステムで、アクセスとワイヤレスネットワークリソースを複数のユーザーに割り当てる。移動通信システムにより用いられる複数のアクセス技術は、１×符号分割多元接続（１ｘ  Ｃｏｄｅ  Ｄｉｖｉｓｉｏｎ  Ｍｕｌｔｉｐｌｅ  Ａｃｃｅｓｓ  ２０００（１ｘＣＤＭＡ２０００））技術、１×エボリューションデータ最適化（１ｘＥｖｏｌｕｔｉｏｎ−Ｄａｔａ  Ｏｐｔｉｍｉｚｅｄ  （１ｘＥＶＤＯ））技術、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）技術、及び、ロングタームエボリューション（ＬＴＥ）技術を含む。ＬＴＥから進化し、ＬＴＥ  Ａｄｖａｎｃｅｄは、ＬＴＥ基準から発展した主な強化技術である。ＬＴＥ  Ａｄｖａｎｃｅｄは、ＬＴＥ設備と互換性があり、ＬＴＥコミュニケーションシステムと周波数バンドをシェアする。ＬＴＥ  Ａｄｖａｎｃｅｄの最大長所の一つは先進のトポロジーネットワークの長所を利用する能力で、最適な異機種環境のネットワークは、低電力ノードの混合マクロ、例えば、ピコセル（ｐｉｃｏｃｅｌｌ）、フェムトセルと新しい中継ノードを含む。
【０００３】
この他、ＬＴＥ  Ａｄｖａｎｃｅｄもマルチキャリア特徴を採用し、これにより、１００ＭＨｚのスペクトルに達する超幅広のバンド幅を使用し、高いデータ速度をサポートすることができる。ＬＴＥ  Ａｄｖａｎｃｅｄに導入されるマルチキャリア特徴はキャリアアグリゲーション（ＣＡ）によりサポートされる。ＣＡ中、二つ、又は、それ以上のコンポーネントキャリア（ＣＣ）が集約されて、最高１００ＭＨｚに達する広い伝送帯域幅を提供する。ＣＡは、連続と非連続両方のＣＣを集約することに応用される。ユーザー装置（ＵＥ）を配置して、同じｅｖｏｌｖｅｄ  Ｎｏｄｅ  Ｂ（ｅＮＢ）からの異なる数量のＣＣとアップリンク（ＵＬ）とダウンリンク（ＤＬ）中の可能な異なるバンド幅を集約することも可能である。ＵＥは、その能力に基づいて、一つ、又は、複数のＣＣにより、同時に、無線周波数（ＲＦ）信号を送受信する。信号とデータ伝送に用いられる集約されたＣＣの集合の記録は、ＵＥとｅＮＢにより維持され、ＵＥに配置されるＣＣに関連する情報を保持する。
【０００４】
しかし、ネットワーク情況によって、集合中のＣＣ数量が変化する。例えば、信号品質がよい新しいＣＣはｅＮＢにより確認され、その後、ＣＣの集合に追加される。一方、集合中のＣＣの信号品質が悪くなる時、ｅＮＢは、集合からそれを除去することを決定する。一般に、各ＣＣは少なくとも一つの測定配置に対応し、ＣＣに対応する測定タスクを配置する。ＣＣに対応するタスクがＵＥにより実行されて、周期的、又は、非周期的に、例えば、ＣＣの基準信号受信電力（Ｒｅｆｅｒｅｎｃｅ  Ｓｉｇｎａｌ  Ｒｅｃｅｉｖｅｄ  Ｐｏｗｅｒ、ＲＳＲＰ）、基準信号受信品質（Ｒｅｆｅｒｅｎｃｅ  Ｓｉｇｎａｌ  Ｒｅｃｅｉｖｅｄ  Ｑｕａｌｉｔｙ、ＲＳＲＱ）、又は、受信信号強度表示（Ｒｅｃｅｉｖｅｄ  Ｓｉｇｎａｌ  Ｓｔｒｅｎｇｔｈ  Ｉｎｄｉｃａｔｏｒ、ＲＳＳＩ）を測定することにより、ＣＣの信号品質を測定する。ＣＣの集合の内容が変化する時、追加された、又は、除去されたＣＣに対応する測定配置をどのように管理するかが解決すべき問題である。
【発明の概要】
【発明が解決しようとする課題】
【０００５】
本発明は、ワイヤレスコミュニケーションシステム中のコンポーネントキャリアの測定配置を管理する装置及び方法を提供することを目的とする。
【課題を解決するための手段】
【０００６】
本発明の実施形態によると、通信装置は、ワイヤレスモジュールとコントローラーモジュールを有する。ワイヤレスモジュールは、少なくとも第一、及び、第二コンポーネントキャリアにより、サービスネットワーク間で、無線周波数信号を送受信する。第一、及び、第二コンポーネントキャリアはサービスネットワークにより配置され、サービスネットワーク間で、無線周波数信号の送受信に用いられるコンポーネントキャリアの集合に集約される。コントローラーモジュールは、サービスネットワークから、第一コンポーネントキャリアに対応する第一測定配置を受信し、ワイヤレスモジュールにより、サービスネットワークから、第一コンポーネントキャリアが第三コンポーネントキャリアにより代替されることを示すメッセージを受信し、ワイヤレスモジュールにより、サービスネットワークから、第三コンポーネントキャリアに対応する第二測定配置を受信し、メッセージの受信に応じて、第一、及び、第二測定配置の少なくとも一つを保持し、保持された測定配置に従って、測定を実行する。
【０００７】
本発明の別の実施形態によると、サービスネットワークにワイヤレスコミュニケーションサービスを提供する通信装置は、ワイヤレスモジュールとコントローラーモジュールを有する。ワイヤレスモジュールは、少なくとも第一、及び、第二コンポーネントキャリアにより、ピア装置間で、無線周波数信号を送受信する。第一、及び、第二コンポーネントキャリアは、ピア装置間で、無線周波数信号を送受信するのに用いられるコンポーネントキャリアの集合に集約される。コントローラーモジュールは、ワイヤレスモジュールにより、第一コンポーネントキャリアに対応する第一測定配置をピア装置に伝送し、ワイヤレスモジュールにより、第一コンポーネントキャリアが第三コンポーネントキャリアにより代替されることを示すメッセージをピア装置に伝送し、第三コンポーネントキャリアに対応する第二測定配置をピア装置に伝送し、第三コンポーネントキャリアにより代替される第一コンポーネントキャリアに応じて、第一、及び、第二測定配置の少なくとも一つを保持する。
【０００８】
本発明の更に別の実施形態によると、通信装置に適用する測定制御方法において、コンポーネントキャリアの集合に集約される少なくとも第一、及び、第二コンポーネントキャリアにより、通信装置はサービスネットワークと通信し、サービスネットワークから、第一コンポーネントキャリアに対応する第一測定配置を受信するステップと、サービスネットワークから、第三コンポーネントキャリアに対応する第二測定配置を受信するステップと、第三コンポーネントキャリアにより、コンポーネントキャリアの集合の第一コンポーネントキャリアを代替するステップと、それぞれ、第一、及び、第三コンポーネントキャリアに対応する第一、及び、第二測定配置の少なくとも一つを保持するステップと、を含む。
【０００９】
本発明の更に別の実施形態によると、通信装置は、ワイヤレスモジュールとコントローラーモジュールを有する。ワイヤレスモジュールは、少なくとも第一、及び、第二コンポーネントキャリアにより、サービスネットワークからの無線周波数信号を送受信する。第一、及び、第二コンポーネントキャリアがサービスネットワークにより配置され、コンポーネントキャリアの集合に集められ、第一コンポーネントキャリアは、コンポーネントキャリアの集合中のプライマリーコンポーネントキャリア（ＰＣＣ）である。コントローラーモジュールは、サービスネットワークから、それぞれ、第一、及び、第二コンポーネントキャリアに対応する第一測定配置と第二測定配置を受信し、ＰＣＣが、サービスネットワークから、第二コンポーネントキャリアに変化することを示すメッセージを受信し、メッセージの受信に応じて、第一測定配置の測定対象関連情報要素と第二測定配置の測定対象関連情報要素を交換する。
【発明の効果】
【００１０】
好ましい管理装置及び方法が提供される。
【図面の簡単な説明】
【００１１】
【図１】本発明の実施形態によるワイヤレスコミュニケーションシステムを示す図である。
【図２】本発明の実施形態によるサービスネットワーク中のアクセスノードの簡潔な図である。
【図３】本発明の実施形態によるＵＥからＥＵＴＲＡＮに伝送される測定報告のメッセージフローである。
【図４】本発明の第一態様による測定制御方法のフローチャートである。
【図５】本発明の第二態様による測定制御方法のフローチャートである。
【発明を実施するための形態】
【００１２】
図１は、本発明の実施形態によるワイヤレスコミュニケーションシステムを示す図である。ワイヤレスコミュニケーションシステム１００中、通信装置１１０、例えば、ユーザー装置（Ｕｓｅｒ  Ｅｑｕｉｐｍｅｎｔ、ＵＥ）は無線方式で、サービスネットワーク、例えば、図１で示されるサービスネットワーク１２０に接続され、ワイヤレスコミュニケーションサービスを得る。サービスネットワーク１２０はアクセスノード、例えば、ｅｖｏｌｖｅｄ  Ｎｏｄｅ  Ｂ（ｅＮＢ）を含み、一つ、又は、それ以上の通信装置とコアネットワーク間を介し、ワイヤレスコミュニケーションサービスを通信装置１１０に提供する。サービスネットワーク１２０は制御ノードを有し、少なくとも一つのアクセスノードの操作を操作する。サービスネットワーク１２０の操作はコミュニケーションプロトコルに準拠する。一実施形態中、サービスネットワーク１２０は、ロングタームエボリューション（ＬＴＥ）システム、又は、ＬＴＥ  ａｄｖａｎｃｅｄシステムである。
【００１３】
通信装置１１０は少なくとも一つのワイヤレスモジュール１１１を有し、サービスネットワーク１２０間の無線伝送と受信の機能を実行する。更に詳細には、ワイヤレスモジュール１１１は、ベースバンドユニット（図示しない）と無線周波数（ＲＦ）ユニット（図示しない）を有する。ベースバンドユニットは複数のハードウェアを含み、アナログデジタル変換（ＡＤＣ）／デジタルアナログ変換（ＤＡＣ）、ゲイン調整、変調／復調、符号化／復号化等を含むベースバンド信号処理を実行する。ＲＦユニットはＲＦ無線信号を受信し、受信したＲＦ無線信号をベースバンド信号に転換し、ベースバンドユニットにより処理されるか、又は、ベースバンドユニットからベースバンド信号を受信し、受信したベースバンド信号をＲＦ無線信号に転換し、後に伝送される。ＲＦユニットは複数のハードウェア装置を含み、無線周波数変換を実行する。例えば、ＲＦユニットはミキサーを含み、ワイヤレスコミュニケーションシステムの無線周波数で発振するキャリアにより、ベースバンド信号を多重化し、無線周波数は、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  ｓｙｓｔｅｍ、ＵＭＴＳ）に用いられる９００ＭＨｚ、１９００ＭＨｚ、又は、２１００ＭＨｚ、又は、ＬＴＥシステムに用いられる９００ＭＨｚ、２１００ＭＨｚ、又は、２．６ＧＨｚ、又は、その他のＲＡＴに基づく。また、通信装置１１０はコントローラーモジュール１１２を有し、ワイヤレスモジュール１１１の操作と他の機能部品、例えば、ディスプレイユニット、及び／又は、ＭＭＩ（ｍａｎ−ｍａｃｈｉｎｅ  ｉｎｔｅｒｆａｃｅ）となるキーパッド、データとアプリケーションのプログラムコードを保存するストレージユニット等を制御する。ＵＭＴＳシステムとＬＴＥシステムに加え、本発明は、ＵＭＴＳベースの技術に応用することができることが理解できる。
【００１４】
図２は、本発明の実施形態によるサービスネットワーク中、図１で示されるアクセスノードの簡潔な図である。アクセスノードは、例えば、ｅＮＢで、サービスネットワーク中で、ワイヤレスコミュニケーションサービスを提供する通信装置としてみなされる。通信装置２２０は少なくとも一つのワイヤレスモジュール２２１を有し、一つ、又は、それ以上のピア装置、例えば、図１で示される通信装置１１０、及び、コアネットワーク間の無線伝送と受信の機能を実行する。更に詳細には、ワイヤレスモジュール２２１は、ベースバンドユニット（図示しない）と無線周波数（ＲＦ）ユニット（図示しない）を有する。ベースバンドユニットは複数のハードウェア装置を含み、アナログデジタル変換（ＡＤＣ）／デジタルアナログ変換（ＤＡＣ）、ゲイン調整、変調／復調、符号化／復号化等を含むベースバンド信号処理を実行する。ＲＦユニットはＲＦ無線信号を受信し、受信したＲＦ無線信号をベースバンド信号に転換し、ベースバンドユニットにより処理されるか、又は、ベースバンドユニットからベースバンド信号を受信し、受信したベースバンド信号をＲＦ無線信号に転換し、後に伝送される。ＲＦユニットは複数のハードウェア装置を有し、無線周波数転換を実行する。例えば、ＲＦユニットはミキサーを有し、ワイヤレスコミュニケーションシステムの無線周波数で発振するキャリアにより、ベースバンド信号を多重化し、無線周波数は、ＵＭＴＳシステムに用いられる９００ＭＨｚ、１９００ＭＨｚ、又は、２１００ＭＨｚ、又は、ＬＴＥシステムに用いられる９００ＭＨｚ、２１００ＭＨｚ、又は、２．６ＧＨｚ、又は、その他のＲＡＴに基づく。また、通信装置２２０はコントローラーモジュール２２２を有し、ワイヤレスモジュール２２１の操作、及び、他の機能部品、例えば、データとアプリケーションのプログラムコード、又は、コミュニケーションプロトコル等を保存するストレージユニットを制御する。ＵＭＴＳシステムとＬＴＥシステムに加え、本発明は、ＵＭＴＳベースの技術に応用することができることが理解できる。
【００１５】
前述のように、ユーザー装置（ＵＥ）を配置して、複数のコンポーネントキャリア（ＣＣｓ）を集約し、広い伝送帯域幅を提供することができる。キャリアアグリゲーション（ＣＡ）が設定される時、ＵＥは、ネットワークと接続する一つの無線リソース制御（ＲＲＣ）だけを有する。ＲＲＣ接続構築／再構築の期間、一つのセルがＵＥに安全な入力を提供する。ＲＲＣ接続構築／再構築工程後、セルに対応するＣＣはダウンリンクプライマリーコンポーネントキャリア（ＤＬ  ＰＣＣ）と称される。接続モード中、各ＵＥに、通常、一つのＤＬ  ＰＣＣと一つのＵＬ  ＰＣＣが配置される。ＣＣの集合中、他のＣＣはセカンダリーコンポーネントキャリア（ＳＣＣｓ）と称される。無線リンク失敗（Ｒａｄｉｏ  Ｌｉｎｋ  Ｆａｉｌｕｒｅ、ＲＬＦ）発生時、ＲＲＣ再構築がトリガーされる。
【００１６】
対応するＣＣが集合中にあってもなくても、ＵＥは、ＥＵＴＲＡＮにより提供される一つ、又は、それ以上の測定配置に従って、一つ、又は、それ以上のＣＣの信号品質を測定する責任があり、ＥＵＴＲＡＮのネットワーク側は、ｅＮＢにより組成される。ＵＥは、測定情報をｅＮＢに報告する責任もある。測定配置（ＭＣ）は複数のパラメータからなり、測定されるＣＣに関連する対象に関連する情報を記述し、これにより、ＣＣの測定タスクを促進する。一般に、一つの測定配置は一つのＣＣに対応するが、一つのＣＣは一つ、又は、それ以上の測定配置に対応する。ＥＵＴＲＡＮは、ＵＥ専用の信号を使用して、例えば、ＲＲＣメッセージ（例えば、ＲＲＣＣｏｎｎｅｃｔｉｏｎＲｅｃｏｎｆｉｇｕｒａｔｉｏｎ  メッセージ）を使用して、ＵＥに適用可能な測定配置を提供する。本発明の実施形態によると、測定配置（ＭｅａｓＣｏｎｆｉｇ）は少なくとも一つの以下のパラメータを含む。
【００１７】
１．  測定対象（ｍｅａｓＯｂｊｅｃｔ）：ＵＥが測定を実行する対象、例えば、対応するＣＣの周波数バンド。
２．  測定対象ＩＤ（ｍｅａｓＯｂｊｅｃｔＩｄ）：ＵＥが測定を実行する対応する測定対象を識別するＩＤ。
３．  報告配置（ｒｅｐｏｒｔＣｏｎｆｉｇ）：報告配置のリストで、各報告配置が以下からなる：
−報告基準：ＵＥをトリガーして、測定報告を伝送する基準。これは、周期的、又は、単一事象の記述である。
−報告形式：ＵＥが測定報告に含まれる数値と関連情報（例えば、報告が必要なセル数量）。
４．  測定ＩＤ  （ｍｅａｓＩｄ）：測定ＩＤのリストで、各測定ＩＤが、一測定対象と一報告配置を連結する。
５．量設定  （ｑｕａｎｔｉｔｙＣｏｎｆｉｇ）：量設定は、測定数量と全事象評価と測定タイプの関連報告に用いられる関連フィルタリングを定義する。
６．  測定ギャップ  （ｍｅａｓＧａｐＣｏｎｆｉｇ）：ＵＥが測定の実行に用いられる期間で、即ち、（ＵＬ，  ＤＬ）伝送が予定されない。
【００１８】
一般に、ＥＵＴＲＡＮは、単一の測定対象だけを配置して、周波数を与える。ＥＵＴＲＡＮにより提供される測定配置に基づき、ＵＥは対応する測定対象に測定タスクを実行し、報告配置に従って、測定結果を報告する。図３は、本発明の実施形態によるＵＥからＥＵＴＲＡＮに伝送される測定報告のメッセージフローである。ＥＵＴＲＡＮ中のｅＮＢは、更に、受信した測定報告に従って、一つ、又は、それ以上のＣＣをＵＥに配置する。ＣＣの集合間の追加と除去はｅＮＢにより決定される。前述のように、ネットワーク情況のために、集合中のＣＣが追加されたり、除去されたりする。例えば、新しい良い信号品質のＣＣは、ｅＮＢにより確認され、その後、ＣＣの集合に追加される。一方、集合中のＣＣの信号品質が悪くなる時、ｅＮＢが集合からそれを除去することを決定する。ｅＮＢはＲＲＣメッセージ（例えば、ＲＲＣＣｏｎｎｅｃｔｉｏｎＲｅｃｏｎｆｉｇｕｒａｔｉｏｎ  ｍｅｓｓａｇｅ）を伝送して、ＵＥに、ＣＣを加える、ＣＣを除去する、又は、ＣＣの集合中のＵＥに配置されるＣＣを代替する（即ち、オリジナルのＣＣを除去すると同時に、新しいＣＣを追加する）ことを要求する。
【００１９】
しかし、一旦ＣＣが追加される、又は、ＣＣが除去される、又は、別のＣＣにより代替されると、ＣＣに対応する測定配置が不明確になる。例えば、ＵＥがｅＮＢにより二つのＤＬ  ＣＣ（ＣＣ１とＣＣ２）が配置されると仮定する。ＣＣ１、及び／又は、ＣＣ２がＣＣ３により代替される時（つまり、ＣＣ１、及び／又は、ＣＣ２が除去されると同時に、ＣＣ３が追加される）、現段階では、ＵＥとｅＮＢがＣＣ１、ＣＣ２、及び、ＣＣ３に対応する測定配置をどのように処理するかが定義されていない。別の例では、ＵＥがｅＮＢにより、一つのＤＬＣＣ（ＣＣ１）と配置されると仮定する。ＣＣ１がＣＣ２とＣＣ３により代替される時（即ち、ＣＣ１が除去されると同時に、ＣＣ２とＣＣ３が追加される）、ＵＥとｅＮＢがＣＣ１、ＣＣ２、及び、ＣＣ３に対応する測定配置どのように処理するかが定義されていない。上述の問題を解決するため、以下の段落で、ワイヤレスコミュニケーションシステム中のコンポーネントキャリアの測定配置を管理する装置と方法が提供される。
【００２０】
本発明の第一態様によると、ＣＣの集合中のオリジナルのＣＣが新しいＣＣにより代替される時、図１で示される通信装置１１０（例えば、ＵＥ）は、オリジナルのＣＣと新しいＣＣに対応する少なくとも一つの測定配置を保持することを決定し、対応する測定配置中のある情報要素を更新する。例えば、通信装置１１０は第一ＣＣ（ＣＣ１）と第二ＣＣ（ＣＣ２）が配置されて、サービスネットワーク（ＥＵＴＲＡＮ中のｅＮＢ）間で、ＲＦ信号を送受信すると仮定すると、ＣＣ１とＣＣ２がＣＣの集合に集約される。通信装置１１０が、ＣＣ１が、ｅＮＢから、第三コンポーネントキャリア（ＣＣ３）により代替されることを示すメッセージを受信する時、ＣＣの集合中のＣＣ１を代替した後、通信装置１１０は、ＣＣ１とＣＣ３に対応する測定配置を保持し、対応する測定配置で、ある情報要素を更新する。
【００２１】
本発明の実施形態によると、通信装置１１０は、ＣＣ３に対応する測定配置の測定対象関連情報要素により、ＣＣ１に対応する測定配置の測定対象関連情報要素を代替する。測定対象関連情報要素は、追加、又は、修正される測定対象（ＭｅａｓＯｂｊｅｃｔＴｏＡｄｄＭｏｄ）に関係する情報要素で、測定配置に記載される。一般に、測定配置はデータ構造としてみなされ、複数の情報要素、例えば、測定対象追加、又は、修正リスト（ＭｅａｓＯｂｊｅｃｔＴｏＡｄｄＭｏｄＬｉｓｔ）を含み、相関情報は３ＧＰＰ  ＴＳ  ３６．３３１、次世代ユニバーサル地上無線アクセス（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ、Ｅ−ＵＴＲＡ）無線リソース制御（ＲＲＣ）プロトコル規格）を参照する。測定対象追加、又は、修正リスト（ＭｅａｓＯｂｊｅｃｔＴｏＡｄｄＭｏｄＬｉｓｔ）は、追加、又は、修正される一つ、又は、それ以上の測定対象（例えば、ＭｅａｓＯｂｊｅｃｔＴｏＡｄｄＭｏｄ）に関連する情報を連結する。
【００２２】
更に具体的には、通信装置１１０は、ＣＣ１に対応する一つ、又は、それ以上の測定配置を保持し、ＣＣ３に対応する測定配置の情報要素ＭｅａｓＯｂｊｅｃｔＴｏＡｄｄＭｏｄにより、ＣＣ１に対応する各測定配置の情報要素ＭｅａｓＯｂｊｅｃｔＴｏＡｄｄＭｏｄを代替する。情報要素ＭｅａｓＯｂｊｅｃｔＴｏＡｄｄＭｏｄもデータ構造とみなされ、少なくとも測定対象と測定対象ＩＤ（つまり、ｍｅａｓＯｂｊｅｃｔＩｄ）に関連する情報を含み、ＵＥが測定を実行する対応する測定対象を識別する。測定ＩＤ（ｍｅａｓＩｄ）は一つ、又は、それ以上の測定対象ＩＤ（ｍｅａｓＯｂｊｅｃｔＩｄ）に連結されて、ＵＥが測定装置で測定を実行する対象を指定する。
【００２３】
これにより、本発明の実施形態によると、通信装置１１０は、ＣＣ１に対応する測定配置のｍｅａｓＩｄ値をＣＣ３に対応する測定配置のｍｅａｓＯｂｊｅｃｔＩｄ値に連結することにより、ＣＣ３に対応する測定配置の情報要素ＭｅａｓＯｂｊｅｃｔＴｏＡｄｄＭｏｄにより、ＣＣ１に対応する各測定配置の情報要素ＭｅａｓＯｂｊｅｃｔＴｏＡｄｄＭｏｄを代替する。
【００２４】
一方、通信装置１１０も、ＣＣ１に対応する測定配置の情報要素ＭｅａｓＯｂｊｅｃｔＴｏＡｄｄＭｏｄにより、ＣＣ３に対応する各測定配置の情報要素ＭｅａｓＯｂｊｅｃｔＴｏＡｄｄＭｏｄを代替する。これにより、ＣＣ１とＣＣ３に対応する測定配置の測定対象関連情報要素が交換される。例えば、本発明の実施形態によると、通信装置１１０は、ＣＣ３に対応する測定配置のｍｅａｓＩｄ値をＣＣ１に対応する測定配置のｍｅａｓＯｂｊｅｃｔＩｄ値に連結する。
【００２５】
本発明の実施形態によると、ＣＣ１がコンポーネントキャリアの集合中のプライマリーコンポーネントキャリア（ＰＣＣ）の時、前述のように、測定配置の更新後、ＰＣＣがＣＣ３に変化する。
【００２６】
本発明の別の実施形態によると、ＣＣ２がＣＣ３により代替されることを示すメッセージがＣＣ３により代替されなければならない時、通信装置１１０も、ＣＣ２とＣＣ３に対応する少なくとも一つの測定配置を保持、更新し、保持、更新された測定配置に従って、測定を実行する。例えば、通信装置１１０はＣＣ２に対応する測定配置を保持し、ＣＣ３に対応する測定配置のＭｅａｓＯｂｊｅｃｔＴｏＡｄｄＭｏｄにより、ＣＣ２に対応する測定配置のＭｅａｓＯｂｊｅｃｔＴｏＡｄｄＭｏｄを代替する。更に具体的に、通信装置１１０は、ＣＣ２に対応する測定配置のｍｅａｓＩｄ値をＣＣ３に対応する測定配置のｍｅａｓＯｂｊｅｃｔＩｄ値に連結する。
【００２７】
追加ＣＣの数量が除去されたＣＣの数量より少ない場合、例えば、ＣＣ３を用いてＣＣ１とＣＣ２を代替し、ある基準に従って、通信装置１１０は、ＣＣ１、又は、ＣＣ２に対応する測定配置の測定対象関連情報要素により、ＣＣ３に対応する測定配置の測定対象関連情報要素を代替することを決定する。本発明の実施形態によると、サービスネットワークから受信される命令に従って、基準の一つは、ＣＣ１、又は、ＣＣ２に対応する測定配置の測定対象関連情報要素により、ＣＣ３に対応する測定配置の測定対象関連情報要素を代替することを決定する。
【００２８】
命令は、ＲＲＣメッセージ（例えば、ＲＲＣＣｏｎｎｅｃｔｉｏｎＲｅｃｏｎｆｉｇｕｒａｔｉｏｎ  ｍｅｓｓａｇｅ）である。ＲＲＣメッセージは、ＵＥに、どの測定配置内の測定対象関連情報要素により、ＣＣ３に対応する測定配置の測定対象関連情報要素を代替するか明示的、又は、黙示的に要求する。例えば、ＲＲＣメッセージに基づくと、ＣＣ１が、ＲＲＣメッセージ中、ＣＣ除去リスト中のＣＣの第一位置にあるので、ＵＥは、ＣＣ１に対応する測定配置のＭｅａｓＯｂｊｅｃｔＴｏＡｄｄＭｏｄにより、ＣＣ３に対応する測定配置のＭｅａｓＯｂｊｅｃｔＴｏＡｄｄＭｏｄを代替する。別の例では、ＲＲＣメッセージ中で搭載される明確な指示のために、ＵＥは、ＣＣ２に対応する測定配置のＭｅａｓＯｂｊｅｃｔＴｏＡｄｄＭｏｄにより、ＣＣ３に対応する測定配置のＭｅａｓＯｂｊｅｃｔＴｏＡｄｄＭｏｄを代替する。
【００２９】
本発明の別の実施形態によると、別の基準はＣＣの集合中のどのＣＣがプライマリーコンポーネントキャリア（ＰＣＣ）か判断し、ＰＣＣに対応する測定配置の測定対象関連情報要素により、ＣＣ３に対応する測定配置の測定対象関連情報要素を代替する。例えば、ＣＣ１がＣＣの集合中のＰＣＣである時、通信装置１１０は、ＣＣ１に対応する測定配置のＭｅａｓＯｂｊｅｃｔＴｏＡｄｄＭｏｄにより、ＣＣ３に対応する測定配置のＭｅａｓＯｂｊｅｃｔＴｏＡｄｄＭｏｄを代替する。
【００３０】
ＳＣＣに対応する測定配置において、本発明の実施形態によると、通信装置１１０は、更に、ＣＣ３に対応する測定配置から複製される新しい測定配置を形成、及び、維持し、ＳＣＣに対応する測定配置の測定対象関連情報要素により、新しい測定配置の測定対象関連情報要素を代替する。
【００３１】
上述と同じコンセプトも、図１で示されるサービスネットワークにワイヤレスコミュニケーションを提供するアクセスノード、又は、ｅＮＢが応用されて、通信装置１１０とネットワークはＣＣに対応する測定配置の同じ状態を有する。例えば、ｅＮＢは、ＣＣ１に対応する測定配置のｍｅａｓＩｄ値をＣＣ３に対応する測定配置のｍｅａｓＯｂｊｅｃｔＩｄ値に連結することにより、ＣＣ３に対応する測定配置の情報要素ＭｅａｓＯｂｊｅｃｔＴｏＡｄｄＭｏｄにより、ＣＣ１に対応する各測定配置の情報要素ＭｅａｓＯｂｊｅｃｔＴｏＡｄｄＭｏｄを代替する。
【００３２】
別の実施形態で、ｅＮＢも、ＣＣ３に対応する測定配置のｍｅａｓＩｄ値をＣＣ１に対応する測定配置のｍｅａｓＯｂｊｅｃｔＩｄ値に連結することにより、ＣＣ１に対応する測定配置の情報要素ＭｅａｓＯｂｊｅｃｔＴｏＡｄｄＭｏｄにより、ＣＣ３に対応する各測定配置の情報要素ＭｅａｓＯｂｊｅｃｔＴｏＡｄｄＭｏｄを代替する。
【００３３】
追加ＣＣの数量が除去ＣＣの数量より少ない場合、例えば、ＣＣ３を用いてＣＣ１とＣＣ２を代替し、ｅＮＢは、ＵＥに伝送されるＲＲＣメッセージで運ばれる情報に従って、又は、前述のように、どれがＰＣＣかに従って、ＣＣ１、又は、ＣＣ２に対応する測定配置の測定対象関連情報要素により、ＣＣ３に対応する測定配置の測定対象関連情報要素を代替するか決定する。ＳＣＣに対応する測定配置において、本発明の実施形態によると、ｅＮＢは、更に、ＣＣ３に対応する測定配置から複製される新しい測定配置を形成、及び、維持し、ＳＣＣに対応する測定配置の測定対象関連情報要素により、新しい測定配置の測定対象関連情報要素を代替する。
【００３４】
図４は、本発明の第一態様による測定制御方法のフローチャートである。まず、ステップＳ４０２で、第一コンポーネントキャリアに対応する第一測定配置がサービスネットワークから受信される。次に、ステップＳ４０４で、第三コンポーネントキャリアに対応する第二測定配置がサービスネットワークから受信される。次に、ステップＳ４０６中、コンポーネントキャリアの集合中の第一コンポーネントキャリアは第三コンポーネントキャリアにより代替される。最後に、ステップＳ４０８で、第一と第三コンポーネントキャリアに対応する第一、及び、第二測定配置の少なくとも一つが保持される。コンポーネントキャリアの測定は、保持された測定配置に従って、更に実行される。
【００３５】
本発明の第二態様によると、図１で示される通信装置１１０（例えば、ＵＥ）にとって、ＣＣの集合中のコンポーネントキャリアが複数の新しいコンポーネントキャリアにより代替される時、サービスネットワークから受信された命令に従って、ＵＥは集合中のコンポーネントキャリアに対応する測定配置と新しいコンポーネントキャリアに対応する測定配置を更新する。
【００３６】
本発明の実施形態によると、通信装置１１０は、新しいコンポーネントキャリアに対応する測定配置の測定対象関連情報要素により、サービスネットワークから受信された命令に従って、集合中のコンポーネントキャリアに対応する測定配置の測定対象関連情報要素（例えば、前述のＭｅａｓＯｂｊｅｃｔＴｏＡｄｄＭｏｄ）を代替することにより、集合中のコンポーネントキャリアに対応する測定配置を更新する。
【００３７】
命令は無線リソース制御（ＲＲＣ）メッセージ（例えば、ＲＲＣＣｏｎｎｅｃｔｉｏｎＲｅｃｏｎｆｉｇｕｒａｔｉｏｎ  メッセージ）である。ＲＲＣメッセージは、明示的、又は、黙示的に、どのように、集合中の各ＣＣに対応する測定配置のＭｅａｓＯｂｊｅｃｔＴｏＡｄｄＭｏｄにより、新しいＣＣに対応する測定配置のＭｅａｓＯｂｊｅｃｔＴｏＡｄｄＭｏｄを代替するかＵＥに命令する。
【００３８】
例えば、新しいＣＣがＣＣ１、ＣＣ２、及び、ＣＣ３を含み、ＣＣの集合がＣＣ４とＣＣ５を含むと仮定する。通信装置１１０は、ＣＣ除去リスト中の順序とＲＲＣメッセージのＣＣ追加リストに従って、ＣＣ４に対応する測定配置のＭｅａｓＯｂｊｅｃｔＴｏＡｄｄＭｏｄにより、ＣＣ１に対応する測定配置のＭｅａｓＯｂｊｅｃｔＴｏＡｄｄＭｏｄを代替し、ＣＣ５に対応する測定配置のＭｅａｓＯｂｊｅｃｔＴｏＡｄｄＭｏｄにより、ＣＣ２に対応する測定配置のＭｅａｓＯｂｊｅｃｔＴｏＡｄｄＭｏｄを代替する。通信装置１１０は、ＣＣ３に対応する測定配置を釈放、又は、保持する。別の例で、ＲＲＣメッセージの明示的指示情報（例えば、マッピングテーブル）のために、通信装置１１０は、ＣＣ４に対応する測定配置のＭｅａｓＯｂｊｅｃｔＴｏＡｄｄＭｏｄにより、ＣＣ１に対応する測定配置のＭｅａｓＯｂｊｅｃｔＴｏＡｄｄＭｏｄを代替し、ＣＣ５に対応する測定配置のＭｅａｓＯｂｊｅｃｔＴｏＡｄｄＭｏｄにより、ＣＣ２に対応する測定配置のＭｅａｓＯｂｊｅｃｔＴｏＡｄｄＭｏｄを代替する。ＣＣ３が明示的指示情報にない場合、通信装置１１０は、ＣＣ３に対応する測定配置を釈放するか、又は、保持して、ｅＮＢ再配置に用いる。
【００３９】
別の例で、ＣＣの集合がＣＣ１、ＣＣ２、及び、ＣＣ３を含み、新しいＣＣはＣＣ４とＣＣ５を含むと仮定する。通信装置１１０は、ＣＣ除去リストの順序とＲＲＣメッセージのＣＣ追加リストに従って、ＣＣ４に対応する測定配置のＭｅａｓＯｂｊｅｃｔＴｏＡｄｄＭｏｄにより、ＣＣ１に対応する測定配置のＭｅａｓＯｂｊｅｃｔＴｏＡｄｄＭｏｄを代替し、ＣＣ５に対応する測定配置のＭｅａｓＯｂｊｅｃｔＴｏＡｄｄＭｏｄにより、ＣＣ２に対応する測定配置のＭｅａｓＯｂｊｅｃｔＴｏＡｄｄＭｏｄを代替する。通信装置１１０は、ＣＣ３に対応する測定配置を釈放するか、又は、保持する。別の実施形態で、通信装置１１０は、ＲＲＣメッセージの明示的指示情報（マッピングテーブル）のために、ＣＣ４に対応する測定配置のＭｅａｓＯｂｊｅｃｔＴｏＡｄｄＭｏｄにより、ＣＣ１に対応する測定配置のＭｅａｓＯｂｊｅｃｔＴｏＡｄｄＭｏｄを代替し、ＣＣ５に対応する測定配置のＭｅａｓＯｂｊｅｃｔＴｏＡｄｄＭｏｄにより、ＣＣ２に対応する測定配置のＭｅａｓＯｂｊｅｃｔＴｏＡｄｄＭｏｄを代替する。ＣＣ３が明示的指示情報にない場合、通信装置１１０はＣＣ３に対応する測定配置を釈放するか、又は、それを保持して、ｅＮＢ再配置に用いる。
【００４０】
図５は、本発明の第二態様による測定制御方法のフローチャートである。初めに、ステップＳ５０２で、コンポーネントキャリアの集合に対応する複数の測定配置が受信される。次に、ステップＳ５０４中、複数の新しいコンポーネントキャリアに対応する複数の測定配置が受信される。次に、ステップＳ５０６で、集合中のコンポーネントキャリアが新しいコンポーネントキャリアにより代替される。最後に、ステップＳ５０８中、集合中のコンポーネントキャリアに対応する測定配置と新しいコンポーネントキャリアに対応する測定配置は、無線リソース制御（ＲＲＣ）メッセージで運ばれる情報に従って更新される。
【００４１】
本発明の第三態様によると、図１で示される通信装置１１０がサービスネットワーク（ＥＵＴＲＡＮ中のｅＮＢ）間で、ＲＦ信号を送受信する第一ＣＣ（ＣＣ１）と第二ＣＣ（ＣＣ２）を配置されると仮定すると、ＣＣ１とＣＣ２がＣＣの集合で集約され、ＣＣ１は、ＣＣの集合中のＰＣＣである。通信装置１１０が、ＰＣＣがＣＣ２に変化することを示すメッセージを受信する時、通信装置１１０は、メッセージの受信に応じて、ＣＣ１に対応する第一測定配置測定対象関連情報要素とＣＣ２に対応する第二測定配置の測定対象関連情報要素を交換する。測定配置の測定対象関連情報要素を交換する方法は、前述の段落を参照することができ、ここで詳述しない。
【００４２】
本発明では好ましい実施形態を前述の通り開示したが、これらは決して本発明に限定するものではなく、当該技術を熟知する者なら誰でも、本発明の精神と領域を脱しない範囲内で各種の変動や改良を加えることができ、従って本発明の保護範囲は、特許請求の範囲で指定した内容を基準とする。
【符号の説明】
【００４３】
１００  ワイヤレスコミュニケーションシステム
１１０、２２０  通信装置
１１１、２２１  ワイヤレスモジュール
１１２、２２２  コントローラーモジュール
１２０  サービスネットワーク
【図１】
2011217378.tif 000003
【図２】
2011217378.tif 000004
【図３】
2011217378.tif 000005
【図４】
2011217378.tif 000006
【図５】
2011217378.tif 000007
【外国語明細書】
2011217378000001.pdf
2011217378000002.pdf
2011217378000003.pdf
2011217378000004.pdf